(57)【特許請求の範囲】
【請求項１】
監視制御サーバ，画像配信端末を接続された画像配信サーバ，中央制御端末を有し、
遠方に設置された装置の状態変化を監視する遠方監視制御システムであって、
前記の監視制御サーバが、
状態変化通知を受信する手段と、
該状態変化通知に含まれる状態変化項目がＩＴＶ監視対象であることを条件に、監視対象制御データ取得手段に問い合わせる手段と、
該条件に合致する監視対象制御データを該監視対象制御データ取得手段から取得した場合、該監視対象制御データからＩＴＶプリセット番号及び画像配信端末名を取得する手段と、
その選択された監視対象制御データに含まれた画像配信端末名及びＩＴＶプリセット番号を送信する手段と、
を有し、
前記の画像配信サーバが、
その受信したＩＴＶプリセット番号を含む画像配信要求を、前記の画像配信端末に通知する手段と、
該画像配信端末から送信された画像を前記の中央制御端末に備えられた画面に表示させる手段と、
を有し、
前記の画像配信端末が、
通知された画像配信要求に含まれるＩＴＶプリセット番号に対応する撮像装置に関する撮像情報を撮像情報取得手段から取得し、その撮像情報に基づいて、該画像配信端末に接続された撮像装置の動作させる手段と、
撮像した画像を該画像配信サーバに送信する手段と、
を有する、
ことを特徴とする遠方監視制御システム。
【請求項２】
前記の監視制御サーバが、特定エリア内のＩＴＶプリセット番号を含む監視対象制御データを、前記の監視対象制御データ取得手段から複数取得した場合、該監視制御サーバが、該監視対象制御データに含まれる優先順位に基づいて、監視対象制御データを選択する手段、
を含むことを特徴とする請求項１記載の遠方監視制御システム。
【請求項３】
監視制御サーバ，画像配信端末を接続された画像配信サーバ，中央制御端末によって、
遠方に設置された装置の状態変化を監視する遠方監視制御方法であって、
前記の監視制御サーバが、状態変化通知を受信するステップと、
該監視制御サーバが、該状態変化通知に含まれる状態変化項目がＩＴＶ監視対象であることを条件に、監視対象制御データ手段に問い合わせるステップと、
該監視制御サーバが、該条件に合致する監視対象制御データを監視対象制御データ取得手段から取得した場合、該監視対象制御データからＩＴＶプリセット番号及び画像配信端末名を取得するステップと、
該監視制御サーバが、その選択された監視対象制御データに含まれた画像配信端末名及びＩＴＶプリセット番号を送信するステップと、
前記の画像配信サーバが、受信したＩＴＶプリセット番号を含む画像配信要求を、前記の画像配信端末に通知するステップと、
前記の画像配信端末が、通知された画像配信要求に含まれるＩＴＶプリセット番号に対応する撮像装置に関する撮像情報を撮像情報取得手段から取得し、その撮像情報に基づいて、該画像配信端末に接続された撮像装置の動作させるステップと、
該画像配信端末が、撮像した画像を該画像配信サーバに送信するステップと、
該画像配信サーバが、該画像配信端末から送信された画像を前記の中央制御端末に備えられた画面に表示させるステップと、
を有することを特徴とする遠方監視制御方法。
【請求項４】
前記の監視制御サーバが、特定エリア内のＩＴＶプリセット番号を含む監視対象制御データを、前記の監視対象制御データ取得手段から複数取得した場合、該監視制御サーバが、該監視対象制御データに含まれる優先順位に基づいて、監視対象制御データを選択するステップ、
を含むことを特徴とする請求項３記載の遠方監視制御方法。
【発明の詳細な説明】
【技術分野】
【０００１】
本発明は、遠方監視制御システム及び遠方監視制御方法であって、例えば、自動遠隔監視に関するものである。
【背景技術】
【０００２】
現在、一般的な遠方監視制御装置は、次のような動作を行うものである。
【０００３】
まず、遠方に設置された機器が故障した場合に、伝送回線を介して、その機器の故障に関する情報（以下、単に故障情報という）を中央制御装置に対して送信する。そして、その故障情報は、中央制御装置（例えば、制御卓）によって表示される。さらに、前記の中央制御装置が、その故障情報に関する警告音（例えば、チャイム音）を発することによって、監視員に注意を喚起する。
【０００４】
また、一般的な映像情報伝送装置は、撮像される表示対象（即ち、映像表示装置に表示される対象）の指定が行われた後に、その表示対象に関する撮像を開始し、さらに、その撮像された映像を伝送開始するものである。なお、事前に、撮像される表示対象の指定が決定されていれば、表示対象の指定に関する操作を省略できる。
【０００５】
ここで、前記の遠方監視制御装置と映像情報伝送装置の構成を図３に基づいて以下に説明する。
【０００６】
図３中の遠方監視制御装置５では、電気設備２が故障した場合には、故障情報が伝送回線を介して送信される（Ｍ１０１）。
【０００７】
そして、中央制御装置１が前記の故障情報を受信し、その故障情報に応じて、中央制御装置１に備えられた表示装置１ａに故障情報を視覚化して表示したり、あるいは、警告音発生装置１ｂによって該故障情報に関する警告音を発したりする。
【０００８】
一方、図３中の映像情報伝送装置６では、撮像される表示対象（例えば、電気設備２）の指定が撮像装置（例えば、カメラ）３に対して行われ（Ｍ１０２）、その表示対象を特定するための設定（例えば、位置情報や倍率など）を行った後に、撮像を開始する。
【０００９】
次に、その撮像された映像は、映像表示装置４に伝送される（Ｍ１０３）。
【００１０】
そして、前記の映像表示装置４は、伝送された映像を表示する。
【００１１】
前記のような遠方監視制御装置と映像情報伝送装置には、警報内容（あるいは故障内容）に基づいて撮像装置の撮像位置を決定する装置（以後、撮像情報送信式遠方監視制御システムと称する）が知られている（例えば、特許文献１参照）。
【００１２】
他にも、警報内容（あるいは故障内容）に関連した画像データを所定のデータベースから取得する装置も知られている（例えば、特許文献２参照）。
【特許文献１】特開２００１−３５９２０９（段落［００５１］〜［００６０］等）。
【特許文献２】特開２００３−２０８２１８（段落［００１２］〜［００１３］等）。
【発明の開示】
【発明が解決しようとする課題】
【００１３】
以上のような遠方監視制御装置と映像情報伝送装置の組み合わせは、撮像装置の撮像箇所が固定されていない場合、故障が発生した機器の状態を視認するために、必然的に、監視員が撮像対象（即ち、表示対象）を特定するための行為が発生してしまう。
【００１４】
しかし、緊迫した場面（例えば、一刻一秒を争うような事故）における撮像対象の特定作業は、通常時ならば容易な作業であっても、困難な作業となることが多い。
【００１５】
また、以上のような遠方監視制御装置と映像情報伝送装置間では、故障情報や該故障情報に関する操作を双方向通信で情報交換を行ってはいないため、自動的に、前記の撮像対象を特定することは困難であった。
【００１６】
さらに、以上のような撮像情報送信式遠方監視制御システムでは、撮像装置に関する情報（例えば、撮像位置，撮像倍率など）を送信する方法を採用している。そのため、データ伝送量が増大し、応答性が低くなる傾向になる。
【００１７】
本発明は、前記課題に基づいてなされたものであって、データ伝送量を減少させ、かつ、状態変化通知（即ち、故障情報）に基づいて、自動的に、撮像位置または撮像範囲を取得し、撮像装置が其の撮像位置または撮像範囲に従って撮像する遠方監視制御システム及び遠方監視制御方法を提供することにある。
【課題を解決するための手段】
【００１８】
本発明は、前記課題の解決を図るために、請求項１記載の発明は、監視制御サーバ，画像配信端末を接続された画像配信サーバ，中央制御端末を有し、遠方に設置された装置の状態変化を監視する遠方監視制御システムであって、前記の監視制御サーバが、状態変化通知を受信する手段と、該状態変化通知に含まれる状態変化項目がＩＴＶ監視対象であることを条件に、監視対象制御データ取得手段に問い合わせる手段と、該条件に合致する監視対象制御データを該監視対象制御データ取得手段から取得した場合、該監視対象制御データからＩＴＶプリセット番号及び画像配信端末名を取得する手段と、その選択された監視対象制御データに含まれた画像配信端末名及びＩＴＶプリセット番号を送信する手段と、を有し、前記の画像配信サーバが、その受信したＩＴＶプリセット番号を含む画像配信要求を、前記の画像配信端末に通知する手段と、該画像配信端末から送信された画像を前記の中央制御端末に備えられた画面に表示させる手段と、を有し、前記の画像配信端末が、通知された画像配信要求に含まれるＩＴＶプリセット番号に対応する撮像装置に関する撮像情報を撮像情報取得手段から取得し、その撮像情報に基づいて、該画像配信端末に接続された撮像装置の動作させる手段と、撮像した画像を該画像配信サーバに送信する手段と、を有する、ことを特徴とする。
【００１９】
請求項２記載の発明は、請求項１記載の発明において、前記の監視制御サーバが、特定エリア内のＩＴＶプリセット番号を含む監視対象制御データを、前記の監視対象制御データ取得手段から複数取得した場合、該監視制御サーバが、該監視対象制御データに含まれる優先順位に基づいて、監視対象制御データを選択する手段、を含むことを特徴とする。
【００２０】
請求項３記載の発明は、監視制御サーバ，画像配信端末を接続された画像配信サーバ，中央制御端末によって、遠方に設置された装置の状態変化を監視する遠方監視制御方法であって、前記の監視制御サーバが、状態変化通知を受信するステップと、該監視制御サーバが、該状態変化通知に含まれる状態変化項目がＩＴＶ監視対象であることを条件に、監視対象制御データ手段に問い合わせるステップと、該監視制御サーバが、該条件に合致する監視対象制御データを監視対象制御データ取得手段から取得した場合、該監視対象制御データからＩＴＶプリセット番号及び画像配信端末名を取得するステップと、該監視制御サーバが、その選択された監視対象制御データに含まれた画像配信端末名及びＩＴＶプリセット番号を送信するステップと、前記の画像配信サーバが、受信したＩＴＶプリセット番号を含む画像配信要求を、前記の画像配信端末に通知するステップと、前記の画像配信端末が、通知された画像配信要求に含まれるＩＴＶプリセット番号に対応する撮像装置に関する撮像情報を撮像情報取得手段から取得し、その撮像情報に基づいて、該画像配信端末に接続された撮像装置の動作させるステップと、該画像配信端末が、撮像した画像を該画像配信サーバに送信するステップと、該画像配信サーバが、該画像配信端末から送信された画像を前記の中央制御端末に備えられた画面に表示させるステップと、を有することを特徴とする。
【００２１】
請求項４記載の発明は、請求項３記載の発明において、前記の監視制御サーバが、特定エリア内のＩＴＶプリセット番号を含む監視対象制御データを、前記の監視対象制御データ取得手段から複数取得した場合、該監視制御サーバが、該監視対象制御データに含まれる優先順位に基づいて、監視対象制御データを選択するステップ、を含むことを特徴とする。
【００２２】
前記の請求項１，３の発明によれば、状態変化通知に基づいて変更された撮像位置または撮像範囲の画像を取得できる。また、ＩＴＶプリセット番号に基づいた命令（または指示）を画像配信端末及び撮像装置で処理できる。
【００２３】
前記の請求項２，４の発明によれば、優先順位に基づいて監視対象制御データを選択できる。
【発明の効果】
【００２４】
以上示したように請求項１，３の発明によれば、自動的に、状態変化が発生した装置に係る画像を取得できる。そのため、監視員が状態を見ながら、容易に指示を出すことができる。また、監視員が、映像情報取得のための機器操作に追われることがないため、一刻一秒を争うような状態でも、対応できる。さらに、ＩＴＶプリセット番号を採用したことによって、データ伝送量が減少し、優れた応答性を備えられる。
【００２５】
請求項２，４の発明によれば、選択された監視対象制御データに含まれる画像配信端末名及びＩＴＶプリセット番号を画像配信端末に通知できる。
【００２６】
これらを以って遠隔監視技術の分野に貢献できる。
【発明を実施するための最良の形態】
【００２７】
以下、本発明の実施の形態における遠方監視制御システム及び遠方監視制御方法を図面等に基づいて詳細に説明する。
【００２８】
本実施の形態は、遠方に設置された装置に係る状態変化通知を受信した監視制御サーバが、監視対象制御データ取得手段（例えば、監視制御項目を格納したデータベース；即ち、監視制御項目表ＤＢ（ＤａｔａＢａｓｅ））に問い合わせて、ＩＴＶ（Ｉｎｄｕｓｔｒｉａｌ  Ｔｅｌｅｖｉｓｉｏｎ）プリセット番号及び画像配信端末名を取得し、そのＩＴＶプリセット番号に基づいて、その画像配信端末名に対応する画像配信端末に接続された撮像装置の撮像位置または撮像範囲を変更し、該画像配信端末から配信された画像を中央制御端末の画面に表示させる遠方監視制御システム及び遠方監視制御方法である。
【００２９】
なお、画像配信端末名，撮像装置，中央制御端末に関しては、以降で説明する。
【００３０】
本実施の形態における遠方監視制御システムの構成と動作を図１に基づいて以下に説明する。
【００３１】
図１中の遠方監視制御システムは、監視動作全体を制御するサーバ装置（以後、監視制御サーバ装置と称する）７，情報表示または指示入力を行う端末（以後、中央制御端末と称する）８，撮像した画像を配信するサーバ装置（以後、画像配信サーバ装置と称する）９，撮像装置であるＩＴＶカメラ１０，該ＩＴＶカメラ１０を設置されたＩＴＶ電動雲台１１，画像配信端末１２，ＩＴＶカメラ１０またはＩＴＶ電動雲台１１に対して設定を行うＩＴＶプリセット制御器１３，該監視制御サーバ装置７に状態通知を行う子局（以後、遠方監視制御子局と称する）１４から構成される。
【００３２】
なお、前記の遠方監視制御子局１４は、変電所などに設置されることが想定される。前記の監視制御サーバ装置７，中央制御端末８，画像配信サーバ装置９は、ネットワーク（例えば、イーサネット（登録商標））１００で接続されている。前記の画像配信サーバ９と画像配信端末１２は、通信線（例えば、電話回線）で結ばれている。前記の画像配信端末１２は、例えば、ＩＴＶプリセット制御器１３，ＩＴＶ電動雲台１１，ＩＴＶカメラ１０と専用ケーブルで接続されている。
【００３３】
図１中における遠方監視制御システムの動作は、次の通りである。
【００３４】
まず、状態変化（例えば、変電所に関する状態変化）を感知した遠方監視制御子局１４が、状態変化通知を監視制御サーバ装置７に送信する（Ｍ１）。
【００３５】
次に、状態変化通知を受信した監視制御サーバ装置７に備えられた本体プログラム７ａは、その状態変化通知に含まれる状態変化項目（例えば、状態変化の分類番号）がＩＴＶ監視対象であることを条件に監視対象制御データ取得手段（例えば、監視制御項目表ＤＢ（ＤａｔａＢａｓｅ））７ｂに問い合せる（Ｍ２）。なお、以降の動作では、符号Ｍ３からＭ１７までに含まれる本体プログラム７ａの処理と符号Ｍ１８からＭ２１までに含まれる本体プログラム７ａの処理は並列に動作しても良い。
【００３６】
次に前記の監視対象制御データ取得手段７ｂは、前記の問い合せに対して、ＩＴＶ監視対象に係る画像配信端末名及びＩＴＶプリセット番号を、前記の本体プログラム７ａに送信する（Ｍ３）。なお、ＩＴＶ番号プリセット番号は、例えば、撮像対象に関する座標，撮像する範囲，撮像倍率などに係る情報（即ち、撮像情報）に対応付けられた番号である。
【００３７】
次に、前記の本体プログラム７ａは、前記の監視制御サーバ装置７に備えられた画像配信インタフェースモジュール７ｃに映像配信制御指示を指示する（Ｍ４）。なお、前記映像配信制御指示には、前記の画像配信端末名及びＩＴＶプリセット番号が含まれる。
【００３８】
次に、前記の画像配信インタフェースモジュール７ｃは、前記の映像配信制御指示を画像配信サーバ装置９に備えられた命令発行アプリケーション９ｃに送信する（Ｍ５）。
【００３９】
なお、前記の命令発行アプリケーション９ｃは、例えば、Ｊａｖａ（登録商標）言語で作成されたアプリケーションである。また、前記の映像配信制御指示は、例えば、「前記の画像配信端末名に対応する画像配信端末に接続し、前記のＩＴＶプリセット番号に基づいてＩＴＶの撮像位置（または撮像範囲）を変更し、そのＩＴＶカメラ１０が撮像した動画像を伝送し、中央制御端末８の所定画面に表示せよ」などである。前記の画像配信インタフェースモジュール７ｃと命令発行アプリケーション９ｃ間の通信には、例えば、イーサネット（登録商標）におけるＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）ソケットが用いられる。
【００４０】
次に、命令発行アプリケーション９ｃは、中央制御端末８に備えられた命令処理アプリケーション８ａ２に対して、前記の映像配信制御指示に対応する命令（即ち、映像配信制御命令）を送信する（Ｍ６）。なお、前記の映像配信制御命令は、例えば、Ｊａｖａ（登録商標）  ＲＭＩ（Ｒｅｍｏｔｅ  Ｍｅｔｈｏｄ  Ｉｎｖｏｃａｔｉｏｎ）を介して命令される。また、前記の命令処理アプリケーション８ａ２は、例えば、Ｊａｖａ（登録商標）アプレットとして作成される。
【００４１】
次に、前記の命令処理アプリケーション８ａ２は、画像配信クライアントプログラム８ａ１に対して、前記の映像配信制御命令を命令する（Ｍ７）。
【００４２】
次に、画像配信クライアントプログラム８ａ１は、前記映像配信制御命令を所定の記憶領域に記憶し、画像配信サーバプログラム９ｂに対して、該映像配信制御命令に関する処理を依頼する（Ｍ８）。なお、画像配信サーバプログラム９ｂが前記の映像配信制御命令に応じた画像を中央制御端末８の所定の画面に表示中ならば、該画像配信サーバプログラム９ｂは画像配信クライアントプログラム８ａ１に対して、エラーメッセージを送信する。
【００４３】
次に、前記の画像配信サーバプログラム９ｂは、前記の映像配信制御命令に含まれる画像配信端末名に対応する画像配信端末１２に接続し、該画像配信端末１２に該映像配信制御命令に基づいて撮像開始を命令する（Ｍ９）。なお、前記の接続方法は、ダイヤルアップ接続でも良い。また、その接続の際に、前記の画像配信端末１２が全回線使用中，回線不良タイムアウト，などの状態にある画像配信端末１２は、エラーメッセージを画像配信サーバプログラム９ｂに送信する。
【００４４】
次に、所定の動作（例えば、ダイヤル遅延，モデム接続遅延，端末認証遅延）の後で、画像配信端末１２が、前記の撮像開始の命令に応じて、撮像した動画を伝送する（Ｍ１０）。
【００４５】
次に、前記の画像配信サーバプログラム９ｂは、前記の画像配信端末１２に対し、前記の映像配信制御命令に含まれたＩＴＶプリセット番号に基づき、ＩＴＶカメラ１０の撮像位置または撮像範囲の移動を命令する（Ｍ１１）。
【００４６】
次に、画像配信端末１２は、前記の映像配信制御命令に含まれたＩＴＶプリセット番号に対応する撮像情報を取得し、その撮像情報をＩＴＶプリセット制御器１３に送信する。前記のＩＴＶプリセット制御器１３は、前記の撮像情報に基づいて、ＩＴＶカメラ１０が設置されたＩＴＶ電動雲台１１を動作させ、前記の撮像位置を移動させる。例えば、前記ＩＴＶプリセット番号に対応した所定座標（即ち、撮像情報の一つ）にＩＴＶ電動雲台１１を移動させる。
【００４７】
なお、前記のＩＴＶプリセット番号に対応する撮像情報を取得するための手段（以後、撮像情報取得手段と称する）は、例えば、ＩＴＶプリセット番号と撮像位置（または撮像範囲）を対応付けた表を予め備えておき、その表から特定のＩＴＶプリセット番号に対応する撮像位置（または撮像範囲）を取得しても良い。
【００４８】
そして、その撮像位置の移動が完了した時点で、前記の画像配信端末１２は、前記の撮像位置の移動命令に対応した完了応答を画像配信サーバプログラム９ｂに送信する（Ｍ１２）。
【００４９】
次に、前記の完了応答を受けた画像配信サーバプログラム９ｂは、画像配信クライアントプログラム８ａに対して、完了応答を送信する（Ｍ１３）。
【００５０】
次に、前記の画像配信クライアントプログラム８ａは、画像配信サーバプログラム９ｂから送信された完了応答を前記の記憶した映像配信制御命令に対応した完了応答か否かを確認し、該完了応答であれば、命令処理アプリケーション８ａ２に対して完了応答を送信する（Ｍ１４）。
【００５１】
次に、前記の命令処理アプリケーション８ａ２は、命令発行アプリケーション９ｃに対して、映像配信制御命令完了を送信する（Ｍ１５）。
【００５２】
次に、前記の命令発行アプリケーション９ｃは、前記の画像インタフェースモジュール７ｃに対して、映像配信制御指示完了を送信する（Ｍ１６）。
【００５３】
次に、前記の画像インタフェースモジュール７ｃは、前記の本体プログラム７ａに対して、映像配信制御指示完了を送信する（Ｍ１７）。
【００５４】
次に、前記の本体プログラム７ａは、中央制御端末８に備えられ、遠方監視情報表示を制御するアプリケーション（以後、情報表示制御アプリケーションと称する）８ｂに、ブラウザ８ａを表画面に表示する指示（以後、表画面指示と称する）を送信する（Ｍ１８）。
【００５５】
次に、前記の情報表示制御アプリケーション８ｂは、前記の表画面指示を実行して、その完了応答を本体プログラム７ａに送信する（Ｍ１９）。
【００５６】
次に、監視員が前記の中央制御端末８を操作して状況確認や対応を行う。その後に、本体プログラム７ａは、情報表示制御アプリケーション８ｂに、ブラウザ８ａを裏画面に戻す指示（以後、裏画面指示と称する）を送信する（Ｍ２０）。
【００５７】
次に、前記の情報表示制御アプリケーション８ｂは、前記の裏画面指示を実行して、その完了応答を本体プログラム７ａに送信する（Ｍ２１）。
【００５８】
そして、図示省略するが、前記のプログラム７ａは、符号Ｍ４〜Ｍ１７の動作と同様な動作で、画像配信端末１２との接続を切断する。
【００５９】
本実施の形態における遠方監視制御方法を図２に基づいて以下に説明する。なお、以下の説明で図１中の符号と同じものの説明は省略する。
【００６０】
まず、故障発生を遠方監視制御子局１４が感知し、状態変化通知（即ち、故障情報）を監視制御サーバ装置７の本体プログラム７ａに送信する（Ｓ１，Ｓ２）。
【００６１】
次に、前記の本体プログラム７ａは、受信した状態変化通知に関する状態を中央制御端末８に表示させ、さらに、該中央制御端末８に備えられた警告音発生装置（例えば、チャイム）で警告音を発生させる（Ｓ３）。
【００６２】
次に、前記の本体プログラム７ａは、前記の状態変化通知に含まれる状態変化項目がＩＴＶ監視対象であることを条件）に問い合わせを監視対象制御データ取得手段７ｂに行い、該条件に合致する監視対象制御データが返ってきた場合、符号Ｓ５を実行する。また、合致するデータを返さなかった場合、何も処理を行わずに終了する（Ｓ４）。なお、前記の監視対象制御データは、複数データであっても良い。
【００６３】
次に、前記の本体プログラム７ａは、前記の監視対象制御データからＩＴＶプリセット番号を取得する（Ｓ５）。
【００６４】
次に、前記の本体プログラム７ａは、特定エリア内のＩＴＶプリセット番号を含む監視対象制御データが複数取得された場合、符号Ｓ７に進む。また、特定エリア内のＩＴＶプリセット番号を含む監視対象制御データが単数取得された場合、符号Ｓ８に進む。（Ｓ６）。
【００６５】
次に、符号Ｓ７では、前記の本体プログラム７ａは、監視対象制御データに含まれる優先順位に基づいて、監視対象制御データを選択する（Ｓ７）。
【００６６】
次に、符号Ｓ８では、前記の本体プログラム７ａは、画像配信サーバプログラム９ｂに対して、選択された監視対象制御データに含まれた画像配信端末名及びＩＴＶプリセット番号を通知する（Ｓ８）。
【００６７】
次に、前記の画像配信サーバプログラム９ｂが画像配信端末名で特定されるエリア内の画像配信端末１２と通信中であった場合、符号Ｓ１０に進む。また、前記の画像配信サーバプログラム９ｂが画像配信端末名で特定されるエリア内の画像配信端末１２と通信中でなかった場合、符号１１に進む（Ｓ９）。
【００６８】
次に、符号１０では、前記の画像配信サーバプログラム９ｂは、画像配信端末名で特定されるエリア内の画像配信端末１２に接続する（Ｓ１０）。
【００６９】
次に、符号１１では、前記の画像配信サーバプログラム９ｂは、画像配信端末１２に対して、ＩＴＶプリセット番号を通知すると共に、画像配信を要求する（Ｓ１１）。
【００７０】
次に、前記の画像配信サーバプログラム９ｂは、画像配信クライアントプログラム８ａ１を介して、前記の画像配信端末１２から配信された画像を中央制御端末８の画面に表示する（Ｓ１２）。
【００７１】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００７２】
例えば、本実施の形態の変形例としては、画像配信サーバと画像配信端末も、ネットワークで接続した構成としても良い。即ち、画像配信端末がイーサネット（登録商標）装置を備え、インターネットプロトコルで通信を行うものである。
【図面の簡単な説明】
【００７３】
【図１】本実施の形態における遠方監視制御システムの構成図。
【図２】本実施の形態における遠方監視制御フローチャート。
【図３】一般的な遠方監視制御装置及び映像情報伝送装置の構成図。
【符号の説明】
【００７４】
１…中央制御装置
１ａ…表示装置
１ｂ…警告音発生装置
２…電気設備
３…撮像装置
４…映像表示装置
５…遠方監視制御装置
６…映像情報伝送装置
７…監視制御サーバ装置
７ａ…本体プログラム
７ｂ…監視対象制御データ取得手段
７ｃ…画像配信インタフェースモジュール
８…中央制御端末
８ａ…ブラウザ
８ａ１…画像配信クライアントプログラム
８ａ２…命令処理アプリケーション
８ｂ…情報表示制御アプリケーション
９…画像配信サーバ装置
９ａ…画像ＤＢ
９ｂ…画像配信サーバプログラム
９ｃ…命令発行アプリケーション
１０…ＩＴＶカメラ
１１…ＩＴＶ電動雲台
１２…画像配信端末
１３…ＩＴＶプリセット制御器
１４…遠方監視制御子局
１００…ネットワーク
【図１】
0004802771.tif 000002
【図２】
0004802771.tif 000003
【図３】
0004802771.tif 000004